(57)【要約】【課題】水が浸入してきたとき、正面扉や背面扉から水の浸入を防ぐことの可能な金属閉鎖形スイッチギヤを提供する。【解決手段】遮断器のような収納機器８を収納する箱体１と、箱体１に設けられた開閉自在の正面扉２や背面扉３のような外被扉と、外被扉の内側に設けられるとともに、吸水により膨潤して箱体１側と扉側を密閉するパッキン６を備えたことを特徴とする。パッキンは、高分子ゲルのような膨潤パッキンや、空気のような媒体を封入して膨張するものを用いる。【選択図】  図１
2013110797.tif 000002
【特許請求の範囲】
【請求項１】
収納機器を収納する箱体と、
前記箱体に設けられた開閉自在の外被扉と、
前記外被扉の内側に設けられるとともに、吸水により膨潤して前記箱体に密着する膨潤パッキンと、
を備えたことを特徴とする金属閉鎖形スイッチギヤ。
【請求項２】
前記膨潤パッキンは、高分子ゲルであることを特徴とする請求項１に記載の金属閉鎖形スイッチギヤ。
【請求項３】
前記箱体に、この箱体内を負圧にする真空ポンプを接続し、床面に設けた水センサーにより動作をさせることを特徴とする請求項１または請求項２に記載の金属閉鎖形スイッチギヤ。
【請求項４】
収納機器を収納する箱体と、
前記箱体に設けられた開閉自在の外被扉と、
前記外被扉の内側に設けられたチューブタイプの膨張パッキンと、
前記膨張パッキンに接続されたコンプレッサーと、
前記箱体の床面に設けられるとともに、前記コンプレッサーを動作させる水センサーとを備え、
前記水センサーが水を検出したとき、前記コンプレッサーを動作させ、前記膨張パッキンを膨張させることを特徴とする金属閉鎖形スイッチギヤ。
【請求項５】
収納機器を収納する箱体と、
前記箱体に設けられた開閉自在の外被扉と、
前記外被扉の内側に設けられたチューブタイプの膨張パッキンと、
前記膨張パッキンに接続された水中ポンプと、
前記箱体の床面に設けられるとともに、前記水中ポンプを動作させる水センサーとを備え、
前記水センサーが水を検出したとき、前記水中ポンプを動作させ、前記膨張パッキンを膨張させることを特徴とする金属閉鎖形スイッチギヤ。
【請求項６】
前記外被扉は、正面扉、背面扉の少なくとも一方であることを特徴とする請求項１乃至請求項５のいずれか１項に記載の金属閉鎖形スイッチギヤ。
【発明の詳細な説明】
【技術分野】
【０００１】
本発明の実施形態は、箱体内への水の浸入を防ぎ、収納機器を保護し得る金属閉鎖形スイッチギヤに関する。
【背景技術】
【０００２】
従来、遮断器などの収納機器を収納する箱体には、開閉自在の正面扉や背面扉が設けられており、これらの扉と箱体との間にはパッキンが設けられ、防水や防塵などが行われている（例えば、特許文献１参照）。
【０００３】
しかしながら、集中豪雨などで大量の水が電気施設内や電気室などに浸入してきたとき、パッキンの密着が不完全であったりすると、箱体内への水の浸入を防ぐことができなかった。このため、防水性を高めたものが望まれていた。
【先行技術文献】
【特許文献】
【０００４】
【特許文献１】特開平１１−４１７２０号公報
【発明の概要】
【発明が解決しようとする課題】
【０００５】
本発明が解決しようとする課題は、屋外形と屋内形を問わず、大量の水が浸入してきたとき、正面扉や背面扉から水の浸入を防ぐことの可能な金属閉鎖形スイッチギヤを提供することにある。
【課題を解決するための手段】
【０００６】
上記課題を解決するために、実施形態の金属閉鎖形スイッチギヤは、収納機器を収納する箱体と、前記箱体に設けられた開閉自在の外被扉と、前記外被扉の内側に設けられるとともに、吸水により膨潤して前記箱体に密着する膨潤パッキンと、を備えたことを特徴とする。
【図面の簡単な説明】
【０００７】
【図１】本発明の実施例１に係る金属閉鎖形スイッチギヤの構成を示す斜視図。
【図２】本発明の実施例１に係る金属閉鎖形スイッチギヤの構成を示す要部拡大断面図。
【図３】本発明の実施例２に係る金属閉鎖形スイッチギヤのパッキンを説明する図。
【図４】本発明の実施例３に係る金属閉鎖形スイッチギヤのパッキンを説明する図。
【図５】本発明の実施例４に係る金属閉鎖形スイッチギヤの構成を示す斜視図。
【発明を実施するための形態】
【０００８】
以下、図面を参照して本発明の実施例を説明する。
【実施例１】
【０００９】
先ず、本発明の実施例１に係る金属閉鎖形スイッチギヤを図１、図２を参照して説明する。図１は、本発明の実施例１に係る金属閉鎖形スイッチギヤの構成を示す斜視図、図２は、本発明の実施例１に係る金属閉鎖形スイッチギヤの構成を示す要部拡大断面図である。
【００１０】
図１に示すように、箱体１の正面側には開閉自在の正面扉２が設けられ、背面側にも開閉自在の背面扉３が設けられている。正面扉２の内側には、最外周に矩形状の外枠４、その内側に同様の矩形状の内枠５が設けられ、外枠４と内枠５の溝部に、水分の吸収によって膨張する断面矩形状の膨潤パッキン６が設けられている。膨潤パッキン６と対向する箱体１側には、平滑面を有する密着板７が設けられている。背面扉３側も同様の構成である。なお、箱体１内には、遮断器のような収納機器８が収納される。
【００１１】
膨潤パッキン６は、例えば、紙おむつなどに用いられるポリアクリル酸ナトリウムのような高分子ゲルからなっており、図２に示すように、吸水前において、外枠４や内枠５の高さよりも僅かに大きく、吸水後には、膨潤して溝部の内面と密着板７に確実に密着するようになっている。なお、寒天のような天然高分子ゲルも用いることができる。
【００１２】
これにより、電気室に水が浸入した場合、膨潤パッキン６が膨潤し、正面扉２や背面扉３からの水の浸入を防ぐことができる。なお、膨潤パッキン６は、吸湿により膨潤することがあるので、定期点検などの所定の時期に交換すれば、万が一に水が浸入したとき、確実に膨潤させることができる。
【００１３】
ここで、正面扉２と背面扉３をまとめて開閉自在の外被扉と称する。また、この外被扉は、少なくとも一方の扉とする。
【００１４】
上記実施例１の金属閉鎖形スイッチギヤによれば、正面扉２と背面扉３に膨潤パッキン６を設けて箱体１を密閉するようにしているので、水が浸入してきたとき、膨潤パッキン６が膨潤して扉側と箱体１側に密着し、内部への水の浸入を防ぐことができ、収納機器８を保護することができる。
【実施例２】
【００１５】
次に、本発明の実施例２に係る金属閉鎖形スイッチギヤを図３を参照して説明する。図３は、本発明の実施例２に係る金属閉鎖形スイッチギヤのパッキンを説明する図である。なお、この実施例２が実施例１と異なる点は、パッキンの構造である。図３は、パッキン部分を示している。
【００１６】
図３に示すように、膨張パッキン９をチューブタイプとし、開閉弁１０と、コンプレッサー１１と、水を検出する水センサー１２を接続している。水センサー１２は床面に設置し、コンプレッサー１１は天井面や別室に設置するものとする。膨張パッキン９には、ブチルゴムのようなものを用いる。
【００１７】
そして、水が浸入してきたとき、これを水センサー１２で検出し、コンプレッサー１１を動作させ、開閉弁１０を開路して膨張パッキン９を膨張させる。所定の圧力に達すると、開閉弁１０を閉路し、コンプレッサー１１を停止する。これにより、箱体を密閉することができる。
【００１８】
上記実施例２の金属閉鎖形スイッチギヤによれば、膨張パッキン９を空気で膨張させることにより、箱体を密閉することができる。
【実施例３】
【００１９】
次に、本発明の実施例３に係る金属閉鎖形スイッチギヤを図４を参照して説明する。図４は、本発明の実施例３に係る金属閉鎖形スイッチギヤのパッキンを説明する図である。なお、この実施例３が実施例２と異なる点は、パッキンの膨張方法である。図４は、パッキン部分を示している。
【００２０】
図４に示すように、膨張パッキン９を実施例２と同様に、チューブタイプとし、開閉弁１０と、水中ポンプ１３と、水センサー１２を接続している。水センサー１２や水中ポンプ１３の取水口は、床面に設置するものとする。
【００２１】
そして、水が浸入してきたとき、これを水センサー１２で検出し、水中ポンプ１３を動作させ、開閉弁１０を開路して膨張パッキン９を膨張させる。所定の圧力に達すると、開閉弁１０を閉路し、水中ポンプ１３を停止する。これにより、箱体を密閉することができる。
【００２２】
上記実施例３の金属閉鎖形スイッチギヤによれば、膨張パッキン９を水で膨張させることにより、箱体を密閉することができる。
【実施例４】
【００２３】
次に、本発明の実施例４に係る金属閉鎖形スイッチギヤを図５を参照して説明する。図５は、本発明の実施例４に係る金属閉鎖形スイッチギヤの構成を示す斜視図である。なお、この実施例４が実施例１と異なる点は、箱体内を負圧にすることである。図５において、実施例１と同様の構成部分においては、同一符号を付し、その詳細な説明を省略する。
【００２４】
図５に示すように、箱体１の天井には、開閉弁１０と真空ポンプ１４を設け、床面に設置した水センサー１２で動作するようにしている。
【００２５】
そして、水が浸入してきたとき、これを水センサー１２で検出し、真空ポンプ１４を動作させ、開閉弁１０を開路して箱体１内を負圧にする。所定の圧力に達すると、開閉弁１０を閉路し、真空ポンプ１４を停止する。これにより、膨潤パッキン６をより密着させることができる。
【００２６】
上記実施例４の金属閉鎖形スイッチギヤによれば、実施例１と同様の効果を得ることができる。
【００２７】
以上述べたような実施形態によれば、金属閉鎖形スイッチギヤに水が浸入してきたとき、正面扉や背面扉からの水の浸入を防ぐことができ、収納機器を保護することができる。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１  箱体
２  正面扉
３  背面扉
４  外枠
５  内枠
６  膨潤パッキン
７  密着板
８  収納機器
９  膨張パッキン
１０  開閉弁
１１  コンプレッサー
１２  水センサー
１３  水中ポンプ
１４  真空ポンプ
【図１】
2013110797.tif 000003
【図２】
2013110797.tif 000004
【図３】
2013110797.tif 000005
【図４】
2013110797.tif 000006
【図５】
2013110797.tif 000007